(57)【特許請求の範囲】
【請求項１】
ハンドオーバの契機の判断に用いられる所定条件を満たす場合に、サービングセルを形成する基地局装置へ通知信号を送信する通知部と、
前記通知信号の送信後の最初の通信データの有無に応じてハンドオーバ処理を開始するハンドオーバ処理部と、
を備えることを特徴とする移動局装置。
【請求項２】
前記通知信号の送信後の最初の通信データの発生を検出するデータ検出部を備え、
前記ハンドオーバ処理部は前記データ検出部の検出結果に応じてハンドオーバ処理を開始することを特徴とする請求項１に記載の移動局装置。
【請求項３】
サービングセルを形成する基地局装置から、前記移動局装置がハンドオーバ条件を満たすことを知らせる第２通知信号又はハンドオーバ指示を受信する受信部を備え、
前記ハンドオーバ処理部は、第２通知信号が受信された場合に前記データ検出部の検出結果に応じて前記ハンドオーバ処理を開始し、ハンドオーバ指示が受信された場合に前記データ検出部の検出結果に関わらず前記ハンドオーバ処理を開始する、ことを特徴とする請求項２に記載の移動局装置。
【請求項４】
前記データ検出部は、基地局装置からのページング信号に基づきダウンリンクの通信データの有無を検出することを特徴とする請求項１〜３のいずれか一項に記載の移動局装置。
【請求項５】
前記移動局装置の状態を判断する状態判断部を備え、
前記ハンドオーバ処理部は、前記移動局装置が第１の状態である場合に前記データ検出部の検出結果に応じて前記ハンドオーバ処理を開始し、前記移動局装置が第２の状態である場合に前記データ検出部の検出結果に関わらず前記ハンドオーバ処理を開始する、ことを特徴とする請求項１〜４のいずれか一項に記載の移動局装置。
【請求項６】
請求項１に記載の移動局装置と通信する基地局装置であって、
前記基地局装置の通信エリアに存在する、ハンドオーバの契機の判断に用いられる所定条件を満たす前記移動局装置から通知信号を受信する受信部と、
前記通知信号を受信した場合に前記移動局装置によるハンドオーバを予告する予告信号を１個以上の他の基地局装置に通知する予告通知部と、
いずれかの前記他の基地局装置からの要求に応じて前記移動局装置に関する移動局コンテキスト情報を送信するコンテキスト送信部と、
を備えることを特徴とする基地局装置。
【請求項７】
前記いずれかの他の基地局装置は前記移動局装置とのハンドオーバ処理を開始した基地局装置であることを特徴とする請求項６に記載の基地局装置。
【請求項８】
前記移動局装置の状態を判断する状態判断部と、
前記移動局装置が第１の状態である場合に第２通知信号を前記移動局装置へ送信し、前記移動局装置が第２の状態である場合にハンドオーバ指示信号を前記移動局装置に送信するハンドオーバ指示部と、を備え、
第２通知信号は、第２通知信号を受信する移動局装置に、第２通知信号の受信後の最初の通信データの存在を検出した場合に基地局装置とのハンドオーバ処理を開始させる請求項６又は７に記載の基地局装置。
【請求項９】
前記移動局装置のサービングセルを形成する基地局装置から受信した前記予告信号から前記移動局装置の識別子を取得する識別子取得部と、
前記識別子取得部により取得された識別子と、前記移動局装置とのハンドオーバ処理で得られる前記移動局装置の識別子とを比較する識別子比較部と、
を備えることを特徴とする請求項６〜８のいずれか一項に記載の基地局装置。
【請求項１０】
前記識別子比較部の比較結果に応じて、前記サービングセルを形成する基地局装置に、前記移動局装置に関する移動局コンテキスト情報を要求するコンテキスト要求部を備えることを特徴とする請求項９に記載の基地局装置。
【請求項１１】
ハンドオーバの契機の判断に用いられる所定条件を移動局装置が満たすか否かを判断し、
前記所定条件が満たされる場合に、前記移動局装置から、サービングセルを形成する基地局装置へ通知信号を送信し、
前記移動局装置と基地局装置との間の、前記通知信号の送信後の最初の通信データの有無を検出し、
前記最初の通信データが生じた場合に前記移動局装置のハンドオーバ処理を開始することを特徴とする通信方法。
【請求項１２】
移動局装置と、前記移動局装置と通信する基地局装置とを有する無線通信システムにおいて、
前記移動局装置は、
ハンドオーバの契機の判断に用いられる所定条件を満たす場合に、前記基地局装置へ通知信号を送信する通知部と、
前記通知信号の送信後の最初の通信データの有無に応じてハンドオーバ処理を開始するハンドオーバ処理部と、を備え、
前記基地局は、前記通知信号を受信する受信部を備えたことを特徴とする無線通信システム。
【発明の詳細な説明】
【技術分野】
【０００１】
本明細書で論じられる実施態様は、移動通信システムにおけるハンドオーバ技術に関する。
【背景技術】
【０００２】
移動通信システムにおけるハンドオーバに関連する技術として、移動機等と、通信範囲が重なるように配置された基地局等との通信を制御する通信制御装置が知られている。通信制御装置は、リソース管理部と、移動機管理部と、リソース調整部を有する。リソース管理部は、複数の基地局の動作状況を示すリソース情報をこれらの複数の基地局のそれぞれから取得し、この取得したリソース情報を管理する。移動機管理部は、複数の移動機の動作状況を示す端末情報をこれらの複数の移動機のそれぞれから取得し、この取得した端末情報を管理する。リソース調整部は、複数の移動機及び上記複数の基地局のうちハンドオーバさせる移動機及び基地局を、端末情報とリソース情報とを用いて特定する。
【先行技術文献】
【特許文献】
【０００３】
【特許文献１】特開２００８−１８７６８８号公報
【発明の概要】
【発明が解決しようとする課題】
【０００４】
移動局装置の移動に伴うハンドオーバ処理には、シグナリングのための無線リソースが使用される。また、ハンドオーバ処理は、移動局装置及び基地局装置のハードウエア資源と電力を消費する。したがってハンドオーバ処理の実行回数を低減することができれば、これらのリソースの使用量や電力消費を節約することができる。本明細書に開示される装置及び方法は、ハンドオーバ処理の実行回数を低減することを目的とする。
【課題を解決するための手段】
【０００５】
装置の一観点によれば、移動局装置が与えられる。この移動局装置は、ハンドオーバの契機の判断に用いられる所定条件を満たす場合に、サービングセルを形成する基地局装置へ通知信号を送信する通知部と、通知信号の送信後の最初の通信データの有無に応じてハンドオーバ処理を開始するハンドオーバ処理部を備える。【０００６】
装置の他の一観点によれば、基地局装置が与えられる。この基地局装置は、基地局装置の通信エリアに存在する移動局装置のうちハンドオーバの契機の判断に用いられる所定条件を満たす移動局装置から通知信号を受信する受信部と、通知信号を受信した場合に移動局装置によるハンドオーバを予告する予告信号を１個以上の他の基地局装置に通知する予告通知部と、いずれかの他の基地局装置からの要求に応じて移動局装置に関する移動局コンテキスト情報を送信するコンテキスト送信部を備える。【０００７】
装置の他の一観点によれば、移動局装置と、移動局装置と通信する基地局装置とを有する無線通信システムが与えられる。移動局装置は、ハンドオーバの契機の判断に用いられる所定条件を満たす場合に、基地局装置へ通知信号を送信する通知部と、通知信号の送信後の最初の通信データの有無に応じてハンドオーバ処理を開始するハンドオーバ処理部を備える。基地局は、通知信号を受信する受信部を備える。【０００８】
方法の一観点によれば、通信方法が与えられる。この通信方法では、ハンドオーバの契機を判断するための所定条件を移動局装置が満たすか否かを判断し、所定条件が満たされる場合に、移動局装置から、サービングセルを形成する基地局装置へ通知信号を送信し、移動局装置と基地局装置との間の、通知信号の送信後の最初の通信データの有無を検出し、最初の通信データが生じた場合に前記移動局装置のハンドオーバ処理を開始する。
【発明の効果】
【０００９】
開示の装置又は方法によれば、ハンドオーバ処理の実行回数を低減することができる。【００１０】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１１】
【図１】通信システムの全体構成例を示す図である。
【図２】移動局装置のハードウエア構成の一例を示す図である。
【図３】基地局装置のハードウエア構成の一例を示す図である。
【図４】移動局装置の機能構成の第１例を示す図である。
【図５】基地局装置の機能構成の第１例を示す図である。
【図６】ハンドオーバ処理における信号シーケンスの第１例の説明図である。
【図７】移動局装置の動作の第１例の説明図である。
【図８】サービング基地局装置の動作の第１例の説明図である。
【図９】ターゲット基地局装置の動作の第１例の説明図である。
【図１０】移動局装置の機能構成の第２例を示す図である。
【図１１】基地局装置の機能構成の第２例を示す図である。
【図１２】ハンドオーバ処理における信号シーケンスの第２例の説明図である。
【図１３】移動局装置の動作の第２例の説明図である。
【図１４】サービング基地局装置の動作の第２例の説明図である。
【図１５】ターゲット基地局装置の動作の第２例の説明図である。
【図１６】基地局装置の機能構成の第３例を示す図である。
【図１７】ハンドオーバ処理における信号シーケンスの第３例の説明図である。
【図１８】移動局装置の動作の第３例の説明図である。
【図１９】サービング基地局装置の動作の第３例の説明図である。
【発明を実施するための形態】
【００１２】
＜１．ハードウエア構成＞
以下、添付される図面を参照して、好ましい実施例について説明する。図１は、通信システムの全体構成例を示す図である。通信システム１は、アクセスネットワーク２、基地局装置３ａ〜３ｃ、移動局装置４、アクセスゲートウエイ装置５及びコアネットワーク６を備える。通信システム１は、例えば、３ＧＰＰ（Third Generation Partnership Project）で検討されるＬＴＥ(Long Term Evolution)方式の移動通信システムであってよい。但し、本明細書に開示される装置及び方法は、セルラー方式の移動通信システムであれば他の方式の移動通信システムでも適用可能である。なお、添付する図面及び以下の説明において移動局装置及び基地局装置を単に「移動局」及び「基地局」と表記することがある。また、添付する図面及び以下の説明においてアクセスゲートウエイ装置を「ＡＧＷ」と表記することがある。また、基地局３ａ〜３ｃを総称して「基地局３」と表記することがある。
【００１３】
基地局３は、アクセスネットワーク２を形成し、移動通信サービスを受けるユーザの移動局４と地上側の有線通信網との間の通信を所定の無線通信規格に従って中継する。コアネットワーク６は、電話網やインターネットなどの公衆網に接続され、移動局４とこれら公衆網との接続処理やデータ転送がコアネットワーク６で行われる。基地局３及びアクセスネットワーク２は、ＡＧＷ５を介してコアネットワーク６に接続される。
【００１４】
参照符号７ａ〜７ｃは、それぞれ基地局３ａ〜３ｃのカバーされるセルを模式的に示す。矢印８は、セル７ａ〜７ｃ間における移動局４の移動を模式的に示す。以下の説明では、セル７ａとの間で無線リソース制御（RRC: Radio Resource Control）接続が確立していた移動局４が、セル７ａからセル７ｂへ、その後にセル７ｂからセル７ｃへ移動する場合を想定する。添付する図面及び以下の説明において無線リソース制御を「ＲＲＣ」と表記することがある。
【００１５】
移動局４のセル間移動に伴い、移動局４のハンドオーバが発生する。本明細書においてハンドオーバ発生直前に移動局４がＲＲＣ接続を確立していたセル７ａ、及びセル７ａをカバーする基地局３ａをそれぞれ「サービングセル」及び「サービング基地局」と表記することがある。また、ハンドオーバにより移動局４がＲＲＣ接続を確立するセル７ｂ又は７ｃ、及びハンドオーバにより移動局４との間でＲＲＣ接続が確立する基地局３ｂ又は３ｃを、それぞれ「ターゲットセル」及び「ターゲット基地局」と表記することがある。また、セル７ａ〜７ｃを総称して「セル７」と表記することがある。なお、以下の説明及び添付図面において、ハンドオーバを「ＨＯ」と表記することがある。
【００１６】
移動局４がサービングセル７ａから他のセルへ移動した後、移動局４は通信データが発生するまでＨＯ処理を開始せず、通信データが発生してからターゲット基地局とのＨＯ処理を開始する。この結果、通信データが発生するまでに通過するセルでのＨＯ処理を省略することができるため、ＨＯ処理の実行回数を低減することが可能となる。
【００１７】
例えば、移動局４がサービングセル７ａ、セル７ｂ、セル７ｃの順で移動する場合、セル７ｂ内では通信データが発生せず、セル７ｃに至ったときに初めて通信データが発生すれば、移動局４はセル７ｂ内でＨＯ処理を行わずセル７ｃをターゲットセルとする。
【００１８】
＜１．１．移動局のハードウエア構成＞
次に、図２を参照して移動局４のハードウエア構成の一例を説明する。図２は、移動局４のハードウエア構成の一例を示す図である。移動局４はプロセッサ１０と、記憶装置１１と、ベースバンド処理回路１２と、無線周波数信号処理回路１３を備える。なお、以下の説明及び添付図面において、ベースバンド及び無線周波数を「ＢＢ」及び「ＲＦ」と表記することがある。
【００１９】
プロセッサ１０は、ＢＢ処理回路１２が行う下記の処理以外の移動局４の動作制御と、ユーザデータを処理するアプリケーションプログラムを実行する。記憶装置１１には、プロセッサ１０による情報処理のためのアプリケーションプログラムが格納される。またこれらのプログラムの実行中に使用される各データ及び一時データも記憶装置１１に格納される。
【００２０】
ＢＢ処理回路１２は、移動局４と基地局３との間で送受信される信号の符号化及び変調、並びに復調及び復号化、通信プロトコル処理、スケジューリングに関するＢＢ信号の処理を実施する。ＢＢ処理回路１２は、信号処理のためのプロセッサや、プロセッサの動作に使用されるプログラム及びデータを格納するためのメモリを備えていてもよい。プロセッサは、例えばDSP(digital signal processor)やCPU(Central Processing Unit: 中央処理ユニット)であってよい。またＢＢ処理回路１２は、信号処理のためのLSI（large scale integration）やASIC（Application Specific Integrated Circuit）、FPGA（Field-Programming Gate Array）等の論理回路を備えていてもよい。
【００２１】
ＲＦ信号処理回路１３は、移動局４と基地局３との間で送受信される無線信号のデジタルアナログ変換、アナログデジタル変換、周波数変換、信号増幅及びフィルタリング等の信号処理を行う。
【００２２】
＜１．２．基地局のハードウエア構成＞
次に、図３を参照して、基地局３のハードウエア構成について説明する。基地局３は、プロセッサ２０と、記憶装置２１と、ＢＢ処理回路２２と、ＲＦ信号処理回路２３と、ネットワークインタフェース回路２４を備える。なお、以下の説明及び添付図面において、ネットワークインタフェースを「ＮＩＦ」と表記することがある。
【００２３】
プロセッサ２０は、下記のＢＢ処理回路２２が行う処理以外のユーザ管理処理や基地局３の動作制御を行う。記憶装置２１には、プロセッサ２０による信号処理のための制御プログラムが格納される。またこれらのプログラムの実行中に使用される各データ及び一時データも記憶装置２１に格納される。
【００２４】
ＢＢ処理回路２２は、移動局４と基地局３との間で送受信される信号の符号化及び変調、並びに復調及び復号化、通信プロトコル処理、スケジューリングに関するＢＢ信号の処理を実施する。ＢＢ処理回路２２は、信号処理のためのプロセッサや、プロセッサの動作に使用されるプログラム及びデータを格納するためのメモリを備えていてもよい。またＢＢ処理回路２２は、信号処理のためのLSIやASIC、FPGA等の論理回路を備えていてもよい。
【００２５】
ＲＦ信号処理回路２３は、移動局４と基地局３との間で送受信される無線信号のデジタルアナログ変換、アナログデジタル変換、周波数変換、信号増幅及びフィルタリングを行う。ＮＩＦ回路２４は、アクセスネットワーク２を経由した他の基地局やＡＧＷ５との信号の送受信のための信号処理を行う。
【００２６】
なお、図２及び図３に示すハードウエア構成は実施例の説明のための例示にすぎない。以下に記載される動作を実行するものであれば、本明細書に記載される通信システムは、他のどのようなハードウエア構成を採用してもよい。
【００２７】
＜２．第１実施例＞
＜２．１．移動局の機能構成＞
続いて、上記ハードウエア構成によって実現される機能について説明する。以下の第１実施例の説明では、移動局４がサービングセル７ａからターゲットセル７ｃへのＨＯを実行する場合の例示を使用する。
【００２８】
図４は、移動局４の機能構成の第１例を示す図である。移動局４は、無線通信部３０と、データ処理部３１と、呼制御部３２と、測定部３３と、ＨＯ処理部３４と、ＲＲＣ接続処理部３５と、間欠動作制御部３６を備える。
【００２９】
無線通信部３０は、基地局３と移動局４との間で送受信される制御信号及びユーザトラヒックの無線信号の送受信処理、符号化処理、復号化処理、変調処理及び復調処理を行う。データ処理部３１は、基地局３と移動局４との間で送受信される通信データすなわちユーザトラヒックを処理する。呼制御部３２は、移動局４と基地局３との間における、呼び出し、応答及び切断などの呼制御処理を実行する。
【００３０】
測定部３３は、基地局３から到来する電波の受信強度を測定する。ＨＯ処理部３４は、測定部３３が測定した受信電波の受信強度と、その電波を送信した基地局３の識別子とを含む測定報告（Measurement Report: MR）を生成する。添付する図面及び以下の説明において測定報告を「ＭＲ」と表記することがある。
【００３１】
ＨＯ処理部３４は、サービング基地局３ａ及びターゲット基地局３ｃとの間のＨＯ処理を行う。基地局３から到来する電波の受信強度がＨＯの契機を判断するための所定条件を満たす場合に、ＨＯ処理部３４は、移動局４がサービングセル７ａから他のセルへ移行しようとしていることを示す移行通知信号を生成する。
【００３２】
以下、移行通知信号を生成するか否かを判断するための条件を「第１条件」と表記することがある。第１条件は、例えば、サービング基地局３ａからの電波の受信強度が、他のセルからの電波の受信強度よりも閾値Ｔｈ１以上小さい等の条件であってよい。
【００３３】
ＨＯ処理部３４は、移行通知信号をサービング基地局３ａへ送信する。移行通知信号はＭＲを含んでいてよい。データ処理部３１は、上りリンクの通信データの発生を検出する。ＨＯ処理部３４は、移行通知信号を送信した後の最初のユーザトラヒックの発生が検出されるとＨＯ処理を開始する。ＨＯ処理部３４は、その時点で移動局４が位置するターゲットセル７ｃをカバーするターゲット基地局３ｃとの間のＲＲＣ接続の確立処理を、ＲＲＣ接続処理部３５に開始させる。
【００３４】
ＲＲＣ接続処理部３５は、ＨＯ処理部３４の指示に従ってターゲット基地局３ｃとの間でランダムアクセス手続きを実行しＲＲＣ接続を確立する。添付する図面及び以下の説明においてランダムアクセスを「ＲＡ」と表記することがある。
【００３５】
間欠動作制御部３６は、基地局３からの指示に従って移動局４の間欠動作を制御する。移動局４が間欠的に動作を行う期間では、移動局４は基地局３との間で間欠的に受信又は送信を行うＤＲＸ（Discontinuous Reception）／ＤＴＸ（Discontinuous Transmission）を実施する。
【００３６】
なお、無線通信部３０の上記動作は、図２に示すプロセッサ１０、ＢＢ処理回路１２及びＲＦ信号処理回路１３が協働することによって実行される。測定部３３の上記動作は、ＢＢ処理回路１２によって実行される。データ処理部３１、呼制御部３２、ＨＯ処理部３４と、ＲＲＣ接続処理部３５及び間欠動作制御部３６の上記動作は、プロセッサ１０によって実行される。
【００３７】
＜２．２．基地局の機能構成＞
続いて、図５を参照して基地局３の機能を説明する。図５は、基地局３の機能構成の第１例を示す図である。基地局３は、無線通信部４０と、ネットワーク通信部４１と、呼制御部４２と、ＨＯ処理部４３と、移動局コンテキスト情報記憶部４４と、ＲＲＣ接続処理部４５を備える。
【００３８】
無線通信部４０は、基地局３と移動局４との間で送受信される制御信号及びユーザトラフィックの無線信号の送受信処理、符号化処理、復号化処理、変調処理及び復調処理を行う。ネットワーク通信部４１は、基地局３と、アクセスネットワーク２との間のインタフェースでありアクセスネットワーク２との間でパケットの送受信を行う。呼制御部４２は、移動局４と基地局３との間における、呼び出し、応答及び切断などの呼制御処理を実行する。
【００３９】
ＨＯ処理部４３は、基地局３がカバーするセルにおける移動局４のＨＯ処理を実行する。サービング基地局３ａのＨＯ処理部４３は、基地局３ａがセル７ａ内の移動局４から移行通知信号を受信すると、移動局４のＨＯを予告するＨＯ予告信号を周辺の他の基地局３へ送信する。ＨＯ予告信号は、移動局コンテキスト情報のうちの少なくとも、サービング基地局３ａの識別子と移動局４の識別子とを含む。
【００４０】
移動局コンテキスト情報は、移動局４とＲＲＣ接続により接続される基地局３によって保有され、この基地局３が移動局４との無線通信に使用する情報を含む。移動局コンテキスト情報は、例えば、基地局３の識別子、移動局４の識別子、接続パラメータ、アクセスベアラの設定情報、ＲＲＣ状態情報、アクセスストラタムのセキュリティ保護に使用するセキュリティコンテンツ情報を含んでいてよい。移動局コンテキスト情報の一例は、例えばＬＴＥ方式で使用される「UE Context」である。
【００４１】
移動局４がターゲット基地局３ｃとの間でＲＲＣ接続処理を行うと、ターゲット基地局３ｃは移動局４に関する移動局コンテキスト情報の送信をサービング基地局３ａに要求する。サービング基地局３ａのＨＯ処理部４３は、ターゲット基地局３ｃによる移動局４に関する移動局コンテキスト情報の要求に応じて、移動局コンテキスト情報を送信する。
【００４２】
このためＨＯ処理部４３は、予告通知部５０と、コンテキスト送信部５１を備える。予告通知部５０は、セル７ａ内の移動局４からの移行通知信号が受信されると、移動局４のＨＯを予告するＨＯ予告信号を周辺の他の基地局３へ送信する。予告通知部５０は、予め指定される地理的に近い基地局３へＨＯ予告信号を送信してよい。また予告通知部５０は、移行通知信号がＭＲを含んでいる場合に、ＭＲに含まれる識別子が記載された基地局３へＨＯ予告信号を送信してもよい。
【００４３】
コンテキスト送信部５１は、ターゲット基地局３ｃによる移動局４に関する移動局コンテキスト情報の要求に応じて、移動局コンテキスト情報記憶部４４に記憶された移動局４に関する移動局コンテキスト情報を、ターゲット基地局３ｃへ送信する。
【００４４】
ターゲット基地局３ｃのＨＯ処理部４３は、移動局４とＲＡ手続きを実行すると、移動局４のサービング基地局３ａを特定し、移動局４に関する移動局コンテキスト情報の送信をサービング基地局３ａへ要求する。このため、ＨＯ処理部４３は、識別子取得部５２と、識別子比較部５３と、コンテキスト要求部５４を備える。
【００４５】
識別子取得部５２は、サービング基地局３ａから受信したＨＯ予告信号から基地局３ａの識別子と移動局４の識別子を取得する。識別子比較部５３は、ＲＡ手続きにおいて取得した移動局４の識別子とＨＯ予告信号から取得した移動局４の識別子とを比較し、ＲＡ手続きを実行する移動局４に関するＨＯ予告信号を送信したサービング基地局３ａを特定する。
【００４６】
コンテキスト要求部５４は、移動局４に関する移動局コンテキスト情報の送信をサービング基地局３ａへ要求する。コンテキスト要求部５４は、受信した移動局コンテキスト情報を移動局コンテキスト情報記憶部４４に記憶する。ＲＲＣ接続処理部４５は、移動局４との間でＲＡ手続きを実行しＲＲＣ接続を確立する。
【００４７】
なお、無線通信部４０の上記動作は、図３に示すプロセッサ２０、ＢＢ処理回路２２及びＲＦ信号処理回路２３が協働することによって実行される。ネットワーク通信部４１の上記動作は、ＮＩＦ回路２４によって実行される。呼制御部４２、ＨＯ処理部４３及びＲＲＣ接続処理部４５の上記動作は、プロセッサ２０によって実行される。移動局コンテキスト情報記憶部４４の記憶領域は、記憶装置２１内に設けられる。
【００４８】
なお、図４及び図５の機能構成図は、本明細書において説明される移動局４及び基地局３の機能に関係する構成を中心に示している。移動局４及び基地局３は、図示の構成要素以外の他の構成要素を含んでいてよい。図１０、図１１及び図１６でも同様である。
【００４９】
＜２．４．信号シーケンス＞
図６を参照して、第１実施例のＨＯ処理における信号シーケンスの例を説明する。図６を参照して説明する一連の動作は複数の手順を含む方法と解釈してもよい。この場合に「オペレーション」を「ステップ」と読み替えてもよい。図７〜図９、図１２〜図１５及び図１７〜１９に示す動作も同様である。
【００５０】
基地局３からの電波の受信強度が第１条件を満たすと、オペレーションＡＡにおいて移動局４のＨＯ処理部３４は、移行通知信号をサービング基地局３ａへ送信する。オペレーションＡＢにおいてサービング基地局３ａのＨＯ処理部４３は、移動局４のＨＯを予告するＨＯ予告信号を、周辺の他の基地局３ｂ及び３ｃへ送信する。基地局３ｂ及び３ｃの識別子取得部５２は、ＨＯ予告信号からサービング基地局３ａの識別子と移動局４の識別子を取得する。オペレーションＡＣにおいて基地局３ｂ及び３ｃのＨＯ処理部４３は、ＨＯ予告信号の受信成功を通知する確認信号をサービング基地局３ａへ送信する。
【００５１】
その後、上りリンクの通信データが発生すると、移動局４のＨＯ処理部３４はＨＯ処理を開始する。この時点で移動局４は、ターゲット基地局３ｃがカバーするセル７ｃ内に位置していると想定する。オペレーションＡＤにおいて移動局４のＲＲＣ接続処理部３５は、ターゲット基地局３ｃとの間でＲＡ手続きを開始するため、ＲＡプリアンブルを送信する。オペレーションＡＥにおいてターゲット基地局３ｃのＲＲＣ接続処理部４５は、ＲＡプリアンブルに対するＲＡ応答信号を移動局４へ返信する。
【００５２】
オペレーションＡＦにおいて移動局４のＲＲＣ接続処理部３５は、ターゲット基地局３ｃとのＲＲＣ接続確立を要求する接続確立要求信号をターゲット基地局３ｃへ送信する。接続確立要求信号は、移動局４の識別子を含む。オペレーションＡＧにおいてターゲット基地局３ｃのＲＲＣ接続処理部４５は、接続確立要求信号に対する応答信号である接続確立応答信号を移動局４へ送信する。
【００５３】
オペレーションＡＨにおいてターゲット基地局３ｃの識別子比較部５３は、接続確立要求信号から取得した移動局４の識別子とＨＯ予告信号から取得した移動局４の識別子とを比較し、移動局４のサービング基地局３ａを特定する。コンテキスト要求部５４は、移動局４に関する移動局コンテキスト情報の送信をサービング基地局３ａへ要求する。オペレーションＡＩにおいてサービング基地局３ａのコンテキスト送信部５１が、ターゲット基地局３ｃへ移動局４に関する移動局コンテキスト情報を送信する。以上により、移動局４とターゲット基地局３ｃとのＲＲＣ接続が確立する。
【００５４】
オペレーションＡＪにおいてターゲット基地局３ｃのＨＯ処理部４３は、移動局４への通信データの伝送パスが経由する基地局を、ターゲット基地局３ｃへ切り替えるためのパス切替要求信号をＡＧＷ５に送信する。オペレーションＡＫにおいてＡＧＷ５は、パス切替要求応答信号をターゲット基地局３ｃへ送信する。
【００５５】
＜２．５．移動局の動作＞
続いて、ＨＯ処理における移動局４及び基地局３の動作を説明する。図７は、移動局４の動作の第１例の説明図である。オペレーションＢＡにおいて測定部３３は、基地局３から到来する電波の受信強度を測定する。オペレーションＢＢにおいてＨＯ処理部３４は、受信強度が第１条件を満足するか否かを判断する。受信強度が第１条件を満足する場合（オペレーションＢＢ：Ｙ）に動作はオペレーションＢＣへ進む。受信強度が第１条件を満足しない場合（オペレーションＢＢ：Ｎ）に動作は終了する。
【００５６】
オペレーションＢＣにおいてＨＯ処理部３４は、移行通知信号をサービング基地局３ａへ送信する。オペレーションＢＤにおいてデータ処理部３１は、上りリンクの通信データの発生の有無を検出する。上りリンクの通信データがある場合（オペレーションＢＤ：Ｙ）に動作はオペレーションＢＥへ進む。上りリンクの通信データがない場合（オペレーションＢＤ：Ｎ）に動作はオペレーションＢＤへ戻る。
【００５７】
オペレーションＢＥにおいてＲＲＣ接続処理部３５は、ＲＡプリアンブルを送信する。オペレーションＢＦにおいてＲＲＣ接続処理部３５は、ターゲット基地局３ｃからＲＡ応答信号を受信する。オペレーションＢＧにおいてＲＲＣ接続処理部３５は、接続確立要求信号をターゲット基地局３ｃへ送信する。オペレーションＢＨにおいてＲＲＣ接続処理部３５は、ターゲット基地局３ｃから接続確立応答信号を受信する。その後に動作は終了する。
【００５８】
＜２．６．サービング基地局の動作＞
図８は、サービング基地局３ａの動作の第１例の説明図である。オペレーションＣＡにおいて基地局３ａが移動局４から移行通知信号を受信する。オペレーションＣＢにおいて予告通知部５０は、ＨＯ予告信号を周辺の他の基地局３へ送信する。
【００５９】
オペレーションＣＣにおいてコンテキスト送信部５１は、ターゲット基地局３ｃから移動局４に関する移動局コンテキスト情報の要求を受信する。オペレーションＣＤにおいてコンテキスト送信部５１は、移動局コンテキスト情報をターゲット基地局３ｃへ送信する。その後に動作は終了する。
【００６０】
＜２．７．ターゲット基地局の動作＞
図９は、ターゲット基地局３ｃの動作の第１例の説明図である。オペレーションＤＡにおいてＨＯ処理部４３は、サービング基地局３ａからのＨＯ予告信号を受信する。オペレーションＤＢにおいて識別子取得部５２は、ＨＯ予告信号から基地局３ａの識別子と移動局４の識別子を取得する。
【００６１】
オペレーションＤＣにおいてＲＲＣ接続処理部４５は、移動局４からのＲＡプリアンブル信号が受信されたか否かを判断する。ＲＡプリアンブル信号が受信された場合（オペレーションＤＣ：Ｙ）に動作はオペレーションＤＤへ進む。ＲＡプリアンブル信号が受信されない場合（オペレーションＤＣ：Ｎ）に動作はオペレーションＤＣへ戻る。オペレーションＤＤにおいてＲＲＣ接続処理部４５は、ＲＡ応答信号を移動局４へ返信する。
【００６２】
オペレーションＤＥにおいてＲＲＣ接続処理部４５は、移動局４から接続確立要求信号を受信する。オペレーションＤＦにおいてＲＲＣ接続処理部４５は、接続確立応答信号を移動局４へ送信する。オペレーションＤＧにおいて識別子比較部５３は、接続確立要求信号から取得した移動局４の識別子とＨＯ予告信号から取得した移動局４の識別子とを比較し、移動局４のサービング基地局３ａを特定する。
【００６３】
オペレーションＤＨにおいてコンテキスト要求部５４は、移動局４に関する移動局コンテキスト情報の送信をサービング基地局３ａへ要求する。オペレーションＤＩにおいてコンテキスト要求部５４は、移動局コンテキスト情報を受信し、移動局コンテキスト情報記憶部４４に記憶する。オペレーションＤＪにおいてＨＯ処理部４３は、ＡＧＷ５との間で、移動局４への通信データの伝送パスが経由する基地局をターゲット基地局３ｃへ切り替えるパス切替処理を実行する。その後に動作は終了する。
【００６４】
＜２．８．実施例の効果＞
本実施例によれば、例えば、移動経路上のいずれかのセルで移動局４がデータ通信を行わない場合に、データ通信がなかったセルへのＨＯ処理を省略することが可能になる。このためＨＯ処理の実行回数の低減が可能になる。この結果、無線リソースの使用量、移動局装置及び基地局装置のハードウエア資源の使用量、電力消費を節約することができる。例えば、間欠動作制御部３６の制御に基づき移動局４が間欠動作を行う場合に、移動経路上のいずれかのセルでデータ通信がないことがある。本実施例によれば、移動局４の間欠動作中におけるＨＯ処理の実行回数を低減することにより、移動局４の消費電力を低減することが可能となる。
【００６５】
本実施例では、移動局４がデータ通信を再開するまでＨＯ処理が実施されないため、ＨＯ処理開始までの期間が延びることがある。このため、ターゲット基地局の候補が従来よりも多くなる。これらの候補の全てに移動局コンテキスト情報を送信すると、ＨＯ手続きにおける基地局３間の通信量が増加する。このため、サービング基地局３ａは、移動局コンテキスト情報に代えて、移動局４とサービング基地局３ａの識別子情報を含んだ予告信号を送信する。そして、予告信号で指定された移動局４とＲＡ手続きを開始した基地局３を、移動局コンテキスト情報の送信先とすることで基地局３間の通信量の増加を低減する。
【００６６】
＜２．９．変形例＞
上記の実施例では、データ処理部３１が上りリンクの通信データの発生を検出した場合に、ＲＲＣ接続処理部３５がターゲット基地局３ｃとの間のＲＲＣ接続の確立処理を開始した。他の実施例では、ターゲット基地局３ｃからのページング信号の受信によって、呼制御部３２が下りリンクの通信データの発生を検出してもよい。ＲＲＣ接続処理部３５は、下りリンクの通信データの発生を検出した場合にターゲット基地局３ｃとの間のＲＲＣ接続の確立処理を開始してもよい。
【００６７】
＜３．第２実施例＞
＜３．１．機能構成＞
続いて他の実施例について説明する。移動局４の通信状態には複数の状態が考えられる。ある通信状態では、移動経路上のいずれかのセルで移動局４がデータ通信を行わないことがあるのに対し、他の通信状態では、頻繁にデータ通信行うことが考えられる。後者の通信状態の場合には、セル間移動後に通信データの発生を待ってＨＯ処理を開始すると、ＨＯ処理を実行時間分だけデータ伝送が遅れる恐れがある。
【００６８】
そこで本実施例では、移動局４は、移動局４の状態を判断する。移動局４は、その判断結果に応じて通信状態を判断する。移動局４が、移動経路上のいずれかのセルでデータ通信を行わない可能性が高い状態である場合には、セル間移動後に通信データの発生を待ってＨＯ処理を開始する。移動局４が、他の状態である場合には通信データの有無に関わらずにＨＯ処理を開始する。
【００６９】
図１０は、移動局４の機能構成の第２例を示す図である。図４に示す構成要素と同様の構成要素には図４で使用した参照符号と同じ参照符号を付し、同一の機能については説明を省略する。移動局４は、状態判断部３７を備える。状態判断部３７は、移動局４が、移動経路上のいずれかのセルでデータ通信を行わない可能性が高い第１状態であるか、それ以外の第２状態であるかを判断する。
【００７０】
例えば、状態判断部３７は、移動局４の形式や機種によって移動局４が第１状態及び第２状態のいずれにあるかを判断してよい。例えば、状態判断部３７は、移動局４がスマートフォンであるか携帯電話であるかに応じて移動局４の状態を判断してよい。スマートフォンはバックグラウンドで間欠的にデータ通信を行うことがあり、移動経路上のセルでデータ通信を行わないことがある。これに対し、携帯電話の通話中の音声データの送受信は連続的に行われる。
【００７１】
また例えば、移動局４がバックグラウンドで処理を行っているか否かに応じて移動局４の状態を判断してもよい。また、例えば、状態判断部３７は、間欠動作制御部３６の制御に基づき移動局４が間欠動作を行っているか否かに応じて移動局４の状態を判断してもよい。状態判断部３７は、これらの条件の一部又は全部を組み合わせて移動局４の状態を判断してもよい。
【００７２】
以下の第２実施例及び第３実施例の説明では、移動局４が第１状態である場合にセル７ｃがターゲットセルとなり、移動局４が第２状態である場合にセル７ｂがターゲットセルとなる例示を用いて説明を行う。
【００７３】
移動局４が第１状態である場合には、ＨＯ処理部３４は、基地局３からの電波の受信強度が第１条件を満足するか否かを判断する。受信強度が第１条件を満足する場合にＨＯ処理部３４は、移行通知信号をサービング基地局３ａへ送信する。移動局４が第２状態である場合にＨＯ処理部３４は、基地局３からの電波の受信強度が、ＨＯの契機を判断するための第２条件を満足するか否かを判断する。受信強度が第２条件を満足する場合にＨＯ処理部３４は、ＭＲをサービング基地局３ａへ送信する。第２条件は第１条件と同じ条件であってもよく異なる条件であってもよい。
【００７４】
ＭＲがサービング基地局３ａへ送信された場合に、ＨＯ処理部３４は、サービング基地局３ａからＨＯ指示信号を受信する。ＨＯ処理部３４は、ＨＯ指示信号を受信した場合にターゲット基地局３ｂとＨＯ処理を開始する。
【００７５】
図１１は、基地局３の機能構成の第２例を示す図である。図５に示す構成要素と同様の構成要素には図５で使用した参照符号と同じ参照符号を付し、同一の機能については説明を省略する。基地局３のＨＯ処理部４３は、ＨＯ要求処理部５５とＨＯ指示部５６を備える。ＨＯ処理部４３が移動局４からＭＲを受信すると、ＨＯ要求処理部５５は、ターゲット基地局３ｂへＨＯ要求信号を送信する。
【００７６】
ターゲット基地局３ｂのＨＯ要求処理部５５は、サービング基地局３ａから要求されるＨＯ処理を行うか否かを判断し、ＨＯ処理を行う場合にＨＯ要求応答信号を返信する。サービング基地局３ａのＨＯ要求処理部５５がＨＯ要求応答信号を受信すると、コンテキスト送信部５１は移動局４の移動局コンテキスト情報をターゲット基地局３ｂへ送信する。また、ＨＯ指示部５６は、移動局４へＨＯ指示信号を送信する。
【００７７】
＜３．２．信号シーケンス＞
図１２を参照して、第２実施例のＨＯ処理における信号シーケンスの例を説明する。移動局４が第２状態であり、基地局３からの電波の受信強度が第２条件を満足すると、オペレーションＥＡにおいてＨＯ処理部３４は、ＭＲをサービング基地局３ａへ送信する。
【００７８】
一方で、移動局４が第１状態であり、基地局３からの電波の受信強度が第１条件を満足すると、ＨＯ処理部３４は、移行通知信号をサービング基地局３ａへ送信する。この場合の信号シーケンスは、図６の信号シーケンスと同様である。
【００７９】
オペレーションＥＢにおいてサービング基地局３ａのＨＯ要求処理部５５は、ターゲット基地局３ｂへＨＯ要求信号を送信する。オペレーションＥＣにおいてターゲット基地局３ｂのＨＯ要求処理部５５は、サービング基地局３ａへＨＯ要求応答信号を送信する。オペレーションＥＤにおいてサービング基地局３ａのコンテキスト送信部５１は、移動局４の移動局コンテキスト情報をターゲット基地局３ｂへ送信する。
【００８０】
オペレーションＥＥにおいてサービング基地局３ａのＨＯ指示部５６は、移動局４へＨＯ指示信号を送信する。オペレーションＥＦにおいて移動局４のＲＲＣ接続処理部３５は、ＲＡプリアンブルを送信する。オペレーションＥＧにおいてターゲット基地局３ｂのＲＲＣ接続処理部４５は、ＲＡプリアンブルに対するＲＡ応答信号を移動局４へ返信する。
【００８１】
オペレーションＥＨにおいて移動局４のＲＲＣ接続処理部３５は、ＲＲＣ接続の再構成の完了を知らせるＲＲＣ再構成完了信号をターゲット基地局３ｂへ送信する。オペレーションＥＩにおいてターゲット基地局３ｂのＲＲＣ接続処理部４５は、ＲＲＣ再構成完了信号に対する応答信号であるＲＲＣ再構成完了確認信号を送信する。以上により、移動局４とターゲット基地局３ｂとのＲＲＣ接続が確立する。
【００８２】
オペレーションＥＪにおいてターゲット基地局３ｂのＨＯ処理部４３は、パス切替要求信号をＡＧＷ５に送信する。オペレーションＥＫにおいてＡＧＷ５は、パス切替要求応答信号をターゲット基地局３ｂへ送信する。
【００８３】
＜３．３．移動局の動作＞
続いて、第２実施例における移動局４及び基地局３の動作を説明する。図１３は、移動局４の動作の第２例の説明図である。オペレーションＦＡにおいて測定部３３は、基地局３から到来する電波の受信強度を測定する。オペレーションＦＢにおいて状態判断部３７は、移動局４が第１状態であるか否かを判断する。
【００８４】
移動局４が第１状態である場合（オペレーションＦＢ：Ｙ）に動作はオペレーションＦＣへ進む。移動局４が第２状態である場合（オペレーションＦＢ：Ｎ）に動作はオペレーションＦＪへ進む。オペレーションＦＣ〜ＦＩの動作は図７のオペレーションＢＢ〜ＢＨの動作と同様である。
【００８５】
オペレーションＦＪにおいてＨＯ処理部３４は、基地局３からの電波の受信強度が第２条件を満足するか否かを判断する。受信強度が第２条件を満足する場合（オペレーションＦＪ：Ｙ）に動作はオペレーションＦＫへ進む。受信強度が第２条件を満足しない場合（オペレーションＦＪ：Ｎ）に動作は終了する。オペレーションＦＫにおいてＨＯ処理部３４は、ＭＲをサービング基地局３ａへ送信する。
【００８６】
オペレーションＦＬにおいてＨＯ処理部３４は、サービング基地局３ａからＨＯ指示信号が受信されたか否かを判断する。ＨＯ指示信号が受信された場合（オペレーションＦＬ：Ｙ）に動作はオペレーションＦＭへ進む。ＨＯ指示信号が受信されない場合（オペレーションＦＬ：Ｎ）に動作はオペレーションＦＬへ戻る。
【００８７】
オペレーションＦＭにおいてＲＲＣ接続処理部３５は、ＲＡプリアンブルを送信する。オペレーションＦＮにおいてＲＲＣ接続処理部３５は、ターゲット基地局３ｂからＲＡ応答信号を受信する。オペレーションＦＯにおいてＲＲＣ接続処理部３５は、ＲＲＣ再構成完了信号をターゲット基地局３ｃｂへ送信する。オペレーションＦＰにおいてＲＲＣ接続処理部３５は、ターゲット基地局３ｂからＲＲＣ再構成完了確認信号を受信する。その後に動作は終了する。
【００８８】
＜３．４．サービング基地局の動作＞
図１４は、サービング基地局３ａの動作の第２例の説明図である。オペレーションＧＡにおいてＨＯ処理部４３は、移動局４から移行通知信号又はＭＲを受信する。移行通知信号が受信された場合（オペレーションＧＢ：Ｙ）に動作はオペレーションＧＣへ進む。ＭＲが受信された場合（オペレーションＧＢ：Ｎ）に動作はオペレーションＧＦへ進む。オペレーションＧＣ〜ＧＥの動作は図８のオペレーションＣＢ〜ＣＤの動作と同様である。
【００８９】
オペレーションＧＦにおいてＨＯ処理部４３は、ＭＲが所定のＨＯ条件を満たすか否かを判断する。ＭＲがＨＯ条件を満たす場合（オペレーションＧＦ：Ｙ）に動作はオペレーションＧＧへ進む。ＭＲがＨＯ条件を満たさない場合（オペレーションＧＦ：Ｎ）に動作は終了する。
【００９０】
オペレーションＧＧにおいてＨＯ要求処理部５５は、ターゲット基地局３ｂへＨＯ要求信号を送信する。オペレーションＧＨにおいてＨＯ要求処理部５５は、ターゲット基地局３ｂからＨＯ要求応答信号を受信する。オペレーションＧＩにおいてコンテキスト送信部５１は移動局４の移動局コンテキスト情報をターゲット基地局３ｂへ送信する。オペレーションＧＪにおいてＨＯ指示部５６は、移動局４へＨＯ指示信号を送信する。その後に動作は終了する。
【００９１】
＜３．５．ターゲット基地局の動作＞
図１５は、ターゲット基地局３ｂ又は３ｃの動作の第２例の説明図である。オペレーションＨＡにおいてＨＯ処理部４３は、サービング基地局３ａからのＨＯ予告信号が受信されたか否かを判断する。ＨＯ予告信号が受信された場合（オペレーションＨＡ：Ｙ）に動作はオペレーションＨＢへ進む。ＨＯ予告信号が受信されない場合（オペレーションＨＡ：Ｎ）に動作はオペレーションＨＣへ進む。オペレーションＨＢにおいて識別子取得部５２は、ＨＯ予告信号から基地局３ａの識別子と移動局４の識別子を取得する。その後に動作はオペレーションＨＦへ進む。
【００９２】
オペレーションＨＣにおいてＨＯ要求処理部５５は、サービング基地局３ａからのＨＯ要求信号が受信されたか否かを判断する。ＨＯ要求信号が受信された場合（オペレーションＨＣ：Ｙ）に動作はオペレーションＨＤへ進む。ＨＯ要求信号が受信されない場合（オペレーションＨＣ：Ｎ）に動作は終了する。
【００９３】
オペレーションＨＤにおいてＨＯ要求処理部５５は、サービング基地局３ａへＨＯ要求応答信号を送信する。オペレーションＨＥにおいてＨＯ処理部４３は、サービング基地局３ａから移動局コンテキスト情報を受信する。その後に動作はオペレーションＨＦへ進む。
【００９４】
オペレーションＨＦにおいてＲＲＣ接続処理部４５は、移動局４からのＲＡプリアンブル信号が受信されたか否かを判断する。ＲＡプリアンブル信号が受信された場合（オペレーションＨＦ：Ｙ）に動作はオペレーションＨＧへ進む。ＲＡプリアンブル信号が受信されない場合（オペレーションＨＦ：Ｎ）に動作はオペレーションＨＦへ戻る。オペレーションＨＧにおいてＲＲＣ接続処理部４５は、ＲＡ応答信号を移動局４へ返信する。
【００９５】
オペレーションＨＨにおいてＲＲＣ接続処理部４５は、移動局４から接続確立要求信号又はＲＲＣ再構成完了信号を受信する。接続確立要求信号が受信された場合（オペレーションＨＩ：Ｙ）に動作はオペレーションＨＪへ進む。ＲＲＣ再構成完了信号が受信された場合（オペレーションＨＩ：Ｎ）に動作はオペレーションＨＯへ進む。
【００９６】
オペレーションＨＩ〜ＨＮの動作は、図９のオペレーションＤＦ〜ＤＪと同様である。オペレーションＨＮの後に動作は終了する。オペレーションＨＯにおいてＲＲＣ接続処理部４５は、ＲＲＣ再構成完了確認信号を移動局４へ送信する。その後に動作はオペレーションＨＮへ進む。
【００９７】
＜３．６．効果＞
本実施例によれば、移動局４の状態に応じて、セル間移動後に通信データの発生を待ってＨＯ処理を開始するか、通信データの有無にかかわらずＨＯ処理を開始するかを切り替えることができる。このため、例えば、移動経路上のいずれかのセルで移動局４がデータ通信を行わない可能性が高い場合には、通信データの発生を待ってＨＯ処理を開始することでＨＯ処理の回数を低減できる。一方で、移動局４が頻繁にデータ通信を行う場合に、通信データの発生を待ってＨＯ処理を行うことによるデータ伝送の遅れの恐れを低減できる。
【００９８】
＜４．第３実施例＞
＜４．１．機能構成＞
続いて他の実施例について説明する。本実施例では、移動局４が第１状態及び第２状態のいずれであるかを、サービング基地局３ａが判断する。移動局４が第１状態である場合にサービング基地局３ａは、移動局４に、セル間移動後の通信データの発生を待ってＨＯ処理を開始させる。一方で移動局４が第２状態である場合にサービング基地局３ａは、通信データの有無に関わらずにＨＯ処理を開始する。
【００９９】
図１６は、基地局３の機能構成の第３例を示す図である。図１１に示す構成要素と同様の構成要素には図１１で使用した参照符号と同じ参照符号を付し、同一の機能については説明を省略する。
【０１００】
基地局３は、状態判断部４６を備える。状態判断部４６は、移動局４が第１状態及び第２状態のいずれであるかを判断する。移動局４から受信したＭＲがＨＯ条件を満たし、移動局４が第１状態である場合に、ＨＯ処理部４３は移動局４へ移行通知信号を送信する。ＨＯ処理部４３は移行通知信号を送信することにより、移動局４に、移行通知信号の受信後の最初の通信データの発生までＨＯ処理の開始を遅らせる。予告通知部５０は、ＨＯ予告信号を周辺の他の基地局３へ送信する。
【０１０１】
移動局４から受信したＭＲがＨＯ条件を満たし、移動局４が第２状態である場合に、ＨＯ要求処理部５５は、ターゲット基地局３ｂへＨＯ要求信号を送信する。ターゲット基地局３ｂからＨＯ要求応答信号が送信されると、コンテキスト送信部５１は移動局４の移動局コンテキスト情報をターゲット基地局３ｂへ送信する。また、ＨＯ指示部５６は、移動局４へＨＯ指示信号を送信する。
【０１０２】
＜４．２．信号シーケンス＞
図１７を参照して、第３実施例のＨＯ処理における信号シーケンスの例を説明する。オペレーションＩＡにおいて移動局４はサービング基地局３ａへＭＲを送信する。ＭＲがＨＯ条件を満たし移動局４が第１状態である場合には、オペレーションＩＢにおいてサービング基地局３ａのＨＯ処理部４３は移動局４へ移行通知信号を送信する。
【０１０３】
一方でＭＲがＨＯ条件を満たし移動局４が第２状態である場合には、ＨＯ要求処理部５５は、ターゲット基地局３ｂへＨＯ要求信号を送信する。この場合の信号シーケンスは、図１２の信号シーケンスと同様になる。
【０１０４】
オペレーションＩＣにおいてサービング基地局３ａのＨＯ処理部４３は、移動局４のＨＯを予告するＨＯ予告信号を、周辺の基地局３ｂ及び３ｃへ送信する。オペレーションＩＤにおいて基地局３ｂ及び３ｃのＨＯ処理部４３は、ＨＯ予告信号の受信成功を通知する確認信号をサービング基地局３ａへ送信する。その後のオペレーションＩＥ〜ＩＬの動作は、図６のオペレーションＡＤ〜ＡＫと同様である。
【０１０５】
＜４．３．移動局の動作＞
続いて、第２実施例における移動局４及び基地局３の動作を説明する。図１８は、移動局４の動作の第３例の説明図である。オペレーションＪＡにおいて測定部３３は、基地局３から到来する電波の受信強度を測定する。オペレーションＪＢにおいてＨＯ処理部３４は、受信強度が第２条件を満足するか否かを判断する。受信強度が第２条件を満足する場合（オペレーションＪＢ：Ｙ）に動作はオペレーションＪＣへ進む。受信強度が第２条件を満足しない場合（オペレーションＪＢ：Ｎ）に動作は終了する。オペレーションＪＣにおいてＨＯ処理部３４は、ＭＲをサービング基地局３ａへ送信する。
【０１０６】
オペレーションＪＤにおいてＨＯ処理部３４は、サービング基地局３ａから送信された移行通知信号が受信されたか否かを判断する。移行通知信号が受信された場合（オペレーションＪＤ：Ｙ）に動作はオペレーションＪＥに進む。移行通知信号が受信されない場合（オペレーションＪＤ：Ｎ）に動作はオペレーションＪＪに進む。オペレーションＪＥ〜ＪＩの動作は図７のオペレーションＢＥ〜ＢＨと同様である。その後に動作は終了する。
【０１０７】
オペレーションＪＪにおいてＨＯ処理部３４は、サービング基地局３ａから送信されたＨＯ指示信号が受信されたか否かを判断する。ＨＯ指示信号が受信された場合（オペレーションＪＪ：Ｙ）に動作はオペレーションＪＫへ進む。ＨＯ指示信号が受信されない場合（オペレーションＪＪ：Ｎ）に動作は終了する。オペレーションＪＫ〜ＪＮの動作は図１３のオペレーションＪＫ〜ＪＮと同様である。その後に動作は終了する。
【０１０８】
＜４．４．サービング基地局の動作＞
図１９は、サービング基地局３ａの動作の第３例の説明図である。オペレーションＫＡにおいてＨＯ処理部４３が移動局４からＭＲを受信する。オペレーションＫＢにおいてＨＯ処理部４３は、ＭＲが所定のＨＯ条件を満たすか否かを判断する。ＭＲがＨＯ条件を満たす場合（オペレーションＫＢ：Ｙ）に動作はオペレーションＫＣへ進む。ＭＲがＨＯ条件を満たさない場合（オペレーションＫＢ：Ｎ）に動作は終了する。
【０１０９】
オペレーションＫＣにおいて状態判断部４６は、移動局４が第１状態及び第２状態のいずれであるかを判断する。移動局４が第１状態である場合（オペレーションＫＣ：Ｙ）に動作はオペレーションＫＤへ進む。移動局４が第２状態である場合（オペレーションＫＣ：Ｎ）に動作はオペレーションＫＧへ進む。オペレーションＫＤ〜ＫＦの動作は、図８のオペレーションＣＢ〜ＣＤと同様である。その後に動作は終了する。オペレーションＫＧ〜ＫＪの動作は、図１４のオペレーションＧＧ〜ＧＪと同様である。その後に動作は終了する。
【０１１０】
＜４．５．効果＞
本実施例においても、移動局４の状態に応じて、セル間移動後に通信データの発生を待ってＨＯ処理を開始するか、通信データの有無にかかわらずＨＯ処理を開始するかを切り替えることができる。このため、例えば、移動経路上のいずれかのセルでデータ通信を行わない可能性が高い移動局４のＨＯ処理の回数を低減できる一方で、頻繁にデータ通信を行う移動局４のデータ伝送の遅れの恐れを低減できる。
【０１１１】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【０１１２】
１    通信システム
３、３ａ、３ｂ、３ｃ    基地局装置
４    移動局装置
３０、４０    無線通信部
３１    データ処理部
３２    呼制御部
３３    測定部
３４、４３    ＨＯ処理部
５０    予告通知部
５１    コンテキスト送信部
【図１】
0005858150.tif 000002
【図２】
0005858150.tif 000003
【図３】
0005858150.tif 000004
【図４】
0005858150.tif 000005
【図５】
0005858150.tif 000006
【図６】
0005858150.tif 000007
【図７】
0005858150.tif 000008
【図８】
0005858150.tif 000009
【図９】
0005858150.tif 000010
【図１０】
0005858150.tif 000011
【図１１】
0005858150.tif 000012
【図１２】
0005858150.tif 000013
【図１３】
0005858150.tif 000014
【図１４】
0005858150.tif 000015
【図１５】
0005858150.tif 000016
【図１６】
0005858150.tif 000017
【図１７】
0005858150.tif 000018
【図１８】
0005858150.tif 000019
【図１９】
0005858150.tif 000020